(57)【特許請求の範囲】
【請求項１】
係脱可能に係合して袋体の内部に収納空間を形成する咬合部と、この咬合部に連接されて前記袋体の内面に接着可能な帯状基部と、を有する一対の雄部材および雌部材を備えたジッパーテープであって、
一方の帯状基部は、
その収納空間側の一縁部に該帯状基部より肉厚に形成された肉厚部と、
この肉厚部の前記収納空間側の一縁部に連接され、前記一方の帯状基部より肉薄に形成された切断部と、
この切断部の前記収納空間側の一縁部に連接され、前記一方の帯状基部より肉厚に形成され、他方の帯状基部が取り付けられる前記袋体の内面に取り付けられるシール基部と、を備え、
前記肉厚部は、前記シール基部が前記袋体の内面に取り付けられる強度よりも小さい強度で、前記他方の帯状基部が取り付けられる前記袋体の内面に取り付けられ、
前記切断部は、前記袋体の内面に離間して前記収納空間と外部を隔てる帯状で、前記シール基部が前記袋体の内面に取り付けられる強度よりも小さい強度に形成された
ことを特徴とするジッパーテープ。
【請求項２】
請求項１に記載のジッパーテープであって、
前記肉厚部および前記シール基部は、略同一の厚さ寸法に形成された
ことを特徴とするジッパーテープ。
【請求項３】
請求項１または請求項２に記載のジッパーテープであって、
前記肉厚部は、前記袋体の内面に向けて次第に幅狭状に形成された
ことを特徴とするジッパーテープ。
【請求項４】
請求項３に記載のジッパーテープであって、
前記肉厚部および前記シール基部は、前記切断部を介して互いに対向する面が、略平行で、かつ、前記取り付けられる袋体の内面に対して略垂直に形成された
ことを特徴とするジッパーテープ。
【請求項５】
収納空間を形成する開口部を有した袋体の内面に請求項１から請求項４までのいずれか一項に記載のジッパーテープを備えた
ことを特徴とするジッパーテープ付包装袋。
【発明の詳細な説明】
【技術分野】
【０００１】
本発明は、ジッパーテープおよびこのジッパーテープを備えたジッパーテープ付包装袋に関する。
【背景技術】
【０００２】
従来、袋体の内面にジッパーテープが接着されたジッパーテープ付包装袋（以下、「包装袋」と略記する場合がある）が知られている。このような包装袋に内容物として粉体や液体を充填した場合、輸送中にジッパーよりもトップシール側に内容物が漏れ出す場合がある。そこで、内容物の漏れ出しを防止するために、ジッパーテープと内容物の間に、隔離構造をもったジッパーテープ及びジッパーテープ付包装袋が知られている（例えば、特許文献１〜３参照）。
ジッパーテープに設けられる隔離構造としては、例えば、ジッパーテープの一部を容易に切断が可能な切断部、あるいは袋体内面から容易に剥離可能なシールが知られている。包装袋を開封する際に、切断部を切断、あるいは剥離して、内容物を取り出すことができる。【０００３】
特許文献１には、雄部材の帯状基部の内容物側に幅広のシール基部が設けられ、このシール基部に線状の切断部が設けられた包装袋が開示されている。包装袋は、線状の切断部が雌部材の帯状基部の端部に接着されることにより密封される。そして、包装袋は、チャックテープを開くときの力で線状の切断部が切断され、開封される。
特許文献２には、雄部材の帯状基部の内容物側に肉薄で線状の切断部が設けられ、この切断部が切断されることにより、包装袋が開封される点が開示されている（特許文献２中の図１０など）。
特許文献３には、嵌合具の雄型側と雌型側との非開封側フランジ部分の先端部が接合された接合部分が切断部として設けられ、この接合部分を切り離すことで包装用袋体が開封される点が開示されている。また、特許文献３には、雄型側および雌型側の先端部に断面三角形状の突起物が形成され、切断部に応力が集中する点が開示されている。
【先行技術文献】
【特許文献】
【０００４】
【特許文献１】特開２００８−２４３２４号公報
【特許文献２】国際公開２００４／０５０４８７号公報
【特許文献３】特開２００６−５１９８７号公報
【発明の概要】
【発明が解決しようとする課題】
【０００５】
しかしながら、特許文献１，２に記載のような構成では、切断部が線状に形成されているため、雄部材および雌部材の帯状基部あるいはシール基部を袋体内面にシールする際、シール基部と切断部を位置合わせすることが難しい。このため、切断部が直接袋体内面に接着したり、帯状基部とシール基部が接着したりするおそれがある。このような場合、切断部の切断性が阻害されるという不都合が生じるおそれがある。
また、特許文献３に記載のような構成では、少なくとも突起状物の一方が袋本体フィルムに固着していないと、切断部に開封するのに充分な応力を受けられないおそれがある。このため、切断部が切断されにくいという不都合が生じるおそれがある。【０００６】
本発明の目的は、開封が容易で良好な封止性が得られるジッパーテープおよびジッパーテープ付包装袋を提供することである。
【課題を解決するための手段】
【０００７】
本発明のジッパーテープは、係脱可能に係合して袋体の内部に収納空間を形成する咬合部と、この咬合部に連接されて前記袋体の内面に接着可能な帯状基部と、を有する一対の雄部材および雌部材を備えたジッパーテープであって、一方の帯状基部は、その収納空間側の一縁部に該帯状基部より肉厚に形成された肉厚部と、この肉厚部の前記収納空間側の一縁部に連接され、前記一方の帯状基部より肉薄に形成された切断部と、この切断部の前記収納空間側の一縁部に連接され、前記一方の帯状基部より肉厚に形成され、他方の帯状基部が取り付けられる前記袋体の内面に取り付けられるシール基部と、を備え、前記肉厚部は、前記シール基部が前記袋体の内面に取り付けられる強度よりも小さい強度で、前記他方の帯状基部が取り付けられる前記袋体の内面に取り付けられ、前記切断部は、前記袋体の内面に離間して前記収納空間と外部を隔てる帯状で、前記シール基部が前記袋体の内面に取り付けられる強度よりも小さい強度に形成されたことを特徴とする。【０００８】
本発明では、前記肉厚部および前記シール基部は、略同一の厚さ寸法に形成された構成とすることが好ましい。
本発明では、前記肉厚部は、前記袋体の内面に向けて次第に幅狭状に形成された構成とすることが好ましい。
本発明では、前記肉厚部および前記シール基部は、前記切断部を介して互いに対向する面が、略平行で、かつ、前記取り付けられる袋体の内面に対して略垂直に形成された構成とすることが好ましい。【０００９】
本発明に記載のジッパーテープ付包装袋は、収納空間を形成する開口部を有した袋体の内面に本発明に記載のジッパーテープを備えたことを特徴とする。【００１０】
本発明によれば、ジッパーテープが取り付けられ収納空間に被収容物が収容された袋体に、仮に外部または袋内部からの圧力が加わっても、肉厚部と切断部とシール基部と袋体の内面とが略密封するので圧力の緩衝領域となる。このため、開封時に容易に切断される切断部でも、外部または袋内部からの圧力により切断部が延びて、収納空間を外部と隔てる封止性、特に水密性が損なわれる不都合を防止できる。したがって、良好な開封性と十分な封止性との双方を提供することができる。
【図面の簡単な説明】
【００１１】
【図１】本発明の第１実施形態のジッパーテープ付包装袋を示す正面図。
【図２】図１のII−II断面図で、雄部材と雌部材が咬合した状態を示す断面図。
【図３】図２において、ジッパーテープのシール基部を拡大して示す拡大断面図。
【図４】図２において、雄部材と雌部材の咬合を開放した状態を示す断面図。
【図５】図２において、切断部を切断させ開封した状態を示す断面図。
【図６】前記ジッパーテープ付包装袋に被収納物を封止する状況を示す断面図。
【図７】前記被収納物の封止に用いるシールバーを示す斜視図。
【図８】前記シールバーで封止する状況を示す一部を切り欠いた斜視図。
【図９】第二実施形態のジッパーテープ付包装袋のジッパーテープを拡大して示す拡大斜視図。
【図１０】第三実施形態のジッパーテープ付包装袋の雄部材と雌部材が咬合した状態を示す断面図。
【図１１】第四実施形態のジッパーテープ付包装袋の雄部材と雌部材が咬合した状態を示す断面図。
【図１２】第五実施形態のジッパーテープ付包装袋の雄部材と雌部材が咬合した状態を示す断面図。
【発明を実施するための形態】
【００１２】
［第一実施形態］
以下、本発明の第一実施形態のジッパーテープ付包装袋（以下、単に「包装袋」とすることもある）を、図面を参照して説明する。
なお、本発明の包装袋は、被収容物である内容物として液体を充填する場合に好適に利用できるが、粉末や固体、ゲルなどを充填してもよい。また、雌部材側に肉厚部、切断部およびシール基部を設けた例示を示すが、雄部材側に設けてもよい。
【００１３】
（ジッパーテープ付包装袋の構成）
本実施形態の包装袋１は、図１および図２に示すように、包材となる基材フィルム11を重ね合わせて、その周縁にサイドシール基部12およびトップシール基部13を形成することによって形成される袋体10を備えている。袋体10の開口部14の内面10Aには、咬合部23と、当該咬合部23と連接する雄側帯状基部211および雌側帯状基部221とから構成される一対の雄部材21および雌部材22を備えたジッパーテープ20が取り付けられている。このジッパーテープ20は、一方のサイドシール基部12から他方のサイドシール基部12にわたって帯状に袋体10にシールされている。また、ジッパーテープ20の咬合部23は、包装袋１の内部に収納空間15を区画形成する。
なお、この包装袋１は、図１〜３では図示しない内容物が袋体10の下方向から収納された後、袋体10の下辺をシールすることにより密封状態とされる。
また、使用者は、開封時には開口部14を切って開封し、ジッパーテープ20で再封するようにする。
【００１４】
また、ジッパーテープ20は、図２にその断面構成を示すように、熱可塑性樹脂からなる一方の帯状の雄部材21と、この雄部材21と咬合する他方の雌部材22とを備えている。
ここで、雄部材21は、袋体10に対してシールされる雄側帯状基部211と、断面が略やじり形状の頭部212、およびこの雄側帯状基部211と頭部212を連結する連結部213により一体的に形成されている。
また、雌部材22は、雄部材21と同様に、袋体10に対してシールされる雌側帯状基部221と、この雌側帯状基部221と連結して形成される断面が円弧形状の第１のフック部222および第２のフック部223を備えている。第１のフック部222と第２のフック部223は、対向して雄部材21の頭部212が係脱可能な凹溝形状を構成する。
また、雄部材21の雄側帯状基部211は、内面10Aに略対向してシールされる基部対向面211Aと、基部対向面211Aと反対側で咬合部23側の咬合部形成面211Bとを有する。また、雌部材22の雌側帯状基部221は、内面10Aに略対向してシールされる基部対向面221Aと、この基部対向面221Aと反対側で咬合部23側の咬合部形成面221Bとを有する。
そして、ジッパーテープ20は、雄部材21の頭部212と雌部材22の第１のフック部222および第２のフック部223とが咬合部23を構成する。これらが咬合または離れることにより、包装袋１が封止または開封される。
【００１５】
雌部材22と一体的に形成されている雌側帯状基部221は、図２および図３に示すように、袋体10の収納空間15側の一縁部224に、雌側帯状基部221よりも肉厚とされた肉厚部31を有する。
この肉厚部31の収納空間15側の端部には、肉厚部31よりも肉薄に形成され、かつ、収納空間15と外部を隔てる帯状の切断部32が連接されている。
切断部32の収納空間15側の端部には、雌側帯状基部221よりも肉厚に形成され、かつ、内面10Aにシールされたシール基部33が連接されている。
【００１６】
肉厚部31は、咬合部形成面221Bから突出するように、雌側帯状基部221より肉厚に、一方のサイドシール基部12から他方のサイドシール基部12に亘って帯状に形成されている。肉厚部31は、シール基部33と略同一の厚さ寸法に形成されている。
肉厚部31の厚さ寸法は、２５０μｍ以上５５０μｍ以下が好ましく、３５０μｍ以上４５０μｍ以下がさらに好ましい。肉厚部31の厚さ寸法が２５０μｍ未満の場合、包装袋１を開封する際の応力が切断部32に集中しにくくなる。一方、肉厚部31の厚さ寸法が５５０μｍを超えると、サイドシール基部12を形成しにくくなる。
また、肉厚部31は、咬合部形成面221Bに対向する袋体10の内面10Aに向けて次第に幅狭状、すなわち突出する先端側の幅が次第に狭くなる断面台形状に形成されている。
そして、この肉厚部31は、先端面311が対向する内面10Aにシールされる。この取り付けられた状態で、肉厚部31の切断部32が連設する端面312は、内面10Aに対して略垂直となるように形成されている。そして、肉厚部31の内面10Aへのシールは、シール基部33の内面10Aへのシール強度よりも小さい強度である。このシール強度は、例えば図１に示すように、切断部32の長さ方向（図１の左右方向）で破線状にシールされる部分シール部311Aにより、シール基部33のシール面積（後述する接着部331Aのシール面積）より小さいシール面積とするなどにより調整される。
また、肉厚部31は、先端面311の外部側の縁から雄側帯状基部211の収納空間15側の端部までの距離が、０．５ｍｍ以上となるように形成されている。すなわち、０．５ｍｍよりも狭くなると、肉厚部31を内面10Aにシールする際、肉厚部31と雄側帯状基部211が接着して良好な開封感が得られなくなったり、場合により開封できなくなったりするおそれがあるためである。そして、肉厚部31は、断面台形状における先端面311の外部側の一縁側が、雄側帯状基部211から離間するように斜面313になっており、シールする際に雄側帯状基部211に接着する不都合を防止できる。
【００１７】
切断部32は、一方のサイドシール基部12から他方のサイドシール基部12に亘って帯状で、肉厚部31の端面312に対して直交する方向（図３の上下方向）に延出する帯状に形成されている。この切断部32は、シール基部33の内面10Aへのシール強度よりも小さい強度、すなわちシール基部33が袋体10の内面10Aから剥離する前に、切断部32が切断されるように形成されている。具体的には、切断部32の厚み寸法は、１０μｍ以上８０μｍ以下であることが好ましく、３０μｍ以上６０μｍ以下がさらに好ましい。切断部32の厚さ寸法が１０μｍ未満の場合、包装袋１が落下した際の衝撃などの外部からの圧力で切断される場合がある。一方、切断部32の厚さ寸法が８０μｍを超えると、開封時に手の力で切断部32を切断することが困難になる場合がある。なお、切断部32の強度は、一方のサイドシール基部12から他方のサイドシール基部12に亘る方向で所定間隔に肉薄の部分を点在させるなど、単に全体的な厚さ寸法を上述したような範囲に設定する場合に限られない。
また、切断部32の幅寸法、すなわちジッパーテープ20の長手方向と略直交する方向（図３の上下方向）の寸法が０．３ｍｍ以上１．５ｍｍ以下であることが好ましく、０．８ｍｍ以上１．２ｍｍ以下がさらに好ましい。切断部32の幅寸法が０．３ｍｍ未満の場合、ジッパーテープ20を袋体10にシールする際、切断部32が雄部材21の雄側帯状基部211や内面10Aに接着しないように位置合わせを行うことが難しくなるおそれがある。一方、切断部32の幅寸法が１．５ｍｍを超えると、切断部32を切断する際、切断部32が延びて切断が困難になるおそれがある。
【００１８】
シール基部33は、一方のサイドシール基部12から他方のサイドシール基部12に亘って帯状で、断面矩形状に形成されている。
そして、シール基部33は、内面10Aにシールされるシール面331が肉厚部31における内面10Aにシールされる先端面311と略同一面（図６参照）となるように形成されている。このシール面331には、櫛状に内面10Aに接着される接着部331Aが設けられている。この接着部331Aは、図１に示すように、切断部32の長さ方向（図１の左右方向）に沿って直線状にシールされる直線シール面331A1と、この直線シール面331A1に連続しシール基部33の端面333が破線状にシールされる複数の端部シール面331A2と、を有している。ここで、直線シール面331A1により内容物の漏出が防止され、複数の端部シール面331A2により、切断部32に応力が集中するようになっている。
また、シール基部33は、切断部32が連設する端面333が、対向する肉厚部31の端面312と略平行で、かつ、袋体10の内面10Aに対して略垂直となるように形成されている。
【００１９】
ここで、本実施形態のジッパーテープ20を構成する雄部材21は、雄側帯状基部211と連続する頭部212および連結部213を、共押出成形法により一体化して得ることができる。同様に、雌部材22も、雌側帯状基部221と連続する第１のフック部222および第２のフック部223を、共押出成形法により一体化して得ることができる。ジッパーテープ20をこのような共押出法により成形すれば、製造工程を簡略化でき、製造コストを低くでき、ジッパーテープ20を連続的に安定して製造することができる。
このようなジッパーテープ20の雄部材21、雌部材22は、ポリエチレンやポリプロピレンでよいが、伸びにくいポリプロピレンで構成されていることが好ましい。具体的には、ホモポリプロピレン、ブロックポリプロピレン、ランダムポリプロピレン（ＲＰＰ）、プロピレン−エチレン−ブテン１ランダム三元共重合体、ポリオレフィン系特殊軟質樹脂などの熱可塑性樹脂や、これらの樹脂を混合した混合物を使用することができる。
【００２０】
なお、ジッパーテープ20を構成する樹脂としてランダムポリプロピレン（ＲＰＰ）を使用する場合にあっては、このＲＰＰのメルトフローレート（ＭＦＲ）は、０．５〜２０ｇ／１０分であることが好ましく、１〜１５ｇ／１０分であることが特に好ましい。
ランダムポリプロピレンのＭＦＲが０．５ｇ／１０分より小さいと、雄側帯状基部211および雌側帯状基部221と連続して一体的に形成される咬合部23の押出成形性が悪くなる場合がある。一方、ＭＦＲが２０ｇ／１０分より大きいと、雌部材22の第１のフック部222および第２のフック部223の先端が閉じやすくなったり、雄部材21の連結部213が倒れやすくなったりするので、再開閉可能な所定の形状に押し出すことが困難になる場合がある。
【００２１】
このような構成のジッパーテープ20を、袋体10を形成する基材フィルム11にシールさせ、当該基材フィルム11を製袋することにより、図１に示すような包装袋１を得ることができる。
ここで、袋体10を形成する包材である基材フィルム11としては、基材層112にシーラント層111を積層した構成の積層フィルムを使用することが好ましいが、要求される性能に応じて、基材層112とシーラント層111との間に、中間層として図示しないガスバリアー層、遮光層、強度向上層などを積層した構成の積層フィルム層を使用してもよい。
【００２２】
基材層112には、二軸延伸ポリプロピレンフィルム（ＯＰＰフィルム）のほか、二軸延伸ポリエチレンテレフタレートフィルム（ＰＥＴフィルム）、二軸延伸ポリエチレンナフタレートフィルムなどの二軸延伸ポリエステルフィルムや、ナイロン６、ナイロン６６、ＭＸＤ６（ポリメタキシリレンアジパミド）などの二軸延伸ポリアミドフィルムなどを好適に使用することができるが、必要に応じて各種エンジニアリングプラスチックフィルムを使用することもできる。また、これらは単独で使用してもよく、また、複数を組み合わせて積層して使用することもできる。
中間層をガスバリアー層とする場合、中間層には、エチレン−酢酸ビニル共重合体ケン化物（ＥＶＯＨ）、ポリアクリロニトリル（ＰＡＮ）などのフィルムのほか、アルミニウム箔、あるいは、シリカ、アルミナ、アルミニウムなどの蒸着層やＰＶＤＣの塗膜層を使用することができる。
【００２３】
また、シリカ、アルミナ、アルミニウムなどの蒸着層やＰＶＤＣの塗膜層を使用する場合は、基材層112の袋体10の内面10Aに蒸着または塗布して形成してもよい。また、別の二軸延伸ナイロンフィルム（ＯＮｙフィルム）、二軸延伸ポリエチレンテレフタレートフィルム（ＰＥＴフィルム）、二軸延伸ポリプロピレンフィルム（ＯＰＰフィルム）などに蒸着または塗布して形成しておいて、そのフィルムを中間層に積層してもよい。
これらのうち、アルミニウム箔とアルミニウム蒸着層は、不透明であるため遮光層を兼ねることもできる。
基材層112と中間層のフィルムの積層には、公知のドライラミネーション法または押し出しラミネーション法（サンドイッチラミネーション法）を用いることができる。
【００２４】
最内層のシーラント層111には、ポリプロピレン（ＣＰＰ）などを使用することができる。
なお、シーラント層111の積層は、上記の樹脂をフィルム状に製膜し、ドライラミネーション法または押出ラミネーション法で積層してもよく、また、前記の樹脂を押し出しコートして積層することもできる。
また、本実施形態の包装袋１は、例えば、ジッパーテープ付け三方シール製袋機などを用いて簡便に製造することができる。
なお、この場合のシール条件（温度、圧力等）は、ジッパーテープ20、および袋体10を形成する基材フィルム11を構成する樹脂の種類などに応じて適宜決定することができる。
【００２５】
（ジッパーテープ付包装袋の開封動作）
次に、図２、４、５を用いて本実施形態の包装袋１の開封の状態を説明する。
図２の状態では、ジッパーテープ20の雄部材21と雌部材22は咬合している状態である。この状態では、図２における咬合部23の下側（収納空間15側）にあってはシール基部33における接着部331Aと、袋体10の内面10Aとがシールされている。このため、気密性、水密性が保持され、例えば搬送途中などにおいてジッパーテープ20の咬合部23の隙間に液状の内容物が入り込むこともない。
【００２６】
次に、包装袋１から内容物を取り出す場合には、図４に示すように、開口部14を切断して、ジッパーテープ20を開いて咬合部23の咬合状態を解除する。さらに袋体10の上側（収納空間15側と反対側）を開くようにするとその力で、図５に示すように、肉厚部31が袋体10の内面10Aから剥離する。さらに袋体10の上側を開くようにする力により、切断部32に引っ張り力が作用する。この際、接着部331Aの端部シール面331A2により、切断部32側の端面333側が袋体10の内面10Aに垂直となる状態が維持されるので、シール基部33の端面333側が内面10Aから浮き上がることなく、切断部32に効率よく引っ張り力が作用する。この引っ張り力により、切断部32が切断され、肉厚部31とシール基部33とが離れることになる。これにより、包装袋１の内部から内容物を取り出すことができる。
【００２７】
（ジッパーテープ付包装袋の製造装置）
次に、図６〜８を用いて、第１実施形態に係るジッパーテープ付包装袋の製造装置について説明する。
包装袋１の製造に利用される製造装置は、製袋部を備えている。図６は製袋部の要部で被収納物を封止する状況を示すものである。
図６において、製袋部は、図示しない包材送出部から送り出した一対の基材フィルム11の間に、図示しないテープ送出部から送り出したジッパーテープ20を位置させて、テープ貼付部でジッパーテープ20を基材フィルム11にそれぞれヒートシールさせるテープ接着部（図示せず）と、搬送される基材フィルム11を、基材フィルム11の搬送方向に対して所定間隔、すなわち包装袋１の幅方向の寸法に対応した間隔でシールおよび溶断して包装袋１を形成する密封部とを備える。
【００２８】
密封部は、内容物Ｐが充填されジッパーテープ20が閉じられた包装袋１を挟んで互いに対向配置された一対のシールバー60を備えている。
これらのシールバー60は互いに近接離隔可能で、互いに離反している際に内容物Ｐが収納された包装袋１が所定位置に保持される。この状態でシールバー60が互いに近接すると、一方のシールバー60が基材フィルム11を介してシール基部33に押圧することになり、このシール基部33に接着部331Aが形成される。
ここで、一方のシールバー60は、図７に示されるように、接着部331Aと同じ連続したくし状の押圧突起60Aを備えている。シール基部33の接着部331Aは、図８に示すように、所定幅で袋体10の幅方向に形成されるとともに、長手方向に所定間隔のくし状に形成される。押圧突起60Aの先端が切断部32を超え、肉厚部31に係るようにシールする。
【００２９】
本実施形態では、ジッパーテープ20の収納空間15側をシールして密封する際、接着部331Aと同じ形状の押圧突起60Aを有するシールバー60を用いることで、接着部331Aを形成することができる。したがって、ジッパーテープ20を開封した力で、容易に肉厚部31の剥離および切断部32の切断ができる包装袋１を作製することができる。
【００３０】
（第一実施形態の作用効果）
前記したような包装袋１によれば、以下に示す効果を奏することができる。
すなわち、上記第一実施形態では、雌側帯状基部221の収納空間15側の一縁部224に肉厚部31を肉厚に設ける。この肉厚部31の収納空間15側に、雌側帯状基部221より肉薄の切断部32を設ける。この切断部32の収納空間15側に、雌側帯状基部221より肉厚で雄側帯状基部211が取り付けられる袋体10の内面10Aにシールされるシール基部33を設ける。そして、肉厚部31を雄側帯状基部211が取り付けられる内面10Aにシール基部33のシール強度より小さいシール強度で取り付けるとともに、切断部32をシール基部33のシール強度より小さい強度で袋体10の内面10Aに離間して収納空間15と外部を隔てる帯状に形成している。
このことにより、肉厚部31と切断部32とシール基部33と袋体10の内面10Aとで囲まれる領域が略密封する状態となる。したがって、ジッパーテープ20が取り付けられ収納空間15に内容物Ｐが収容された袋体10に、仮に外部または袋内部からの圧力が加わっても、略密封状態の領域が切断部32の収納空間15の面に加わる圧力の緩衝領域となる。このため、開封時に容易に切断される強度に設定した切断部32でも、外部または袋内部からの圧力により例えば切断部32が延びて、次の衝撃時に破れてしまうおそれがあったり、場合によってはピンホールが生じて、収納空間15を外部と隔てる封止性、特に水密性が損なわれたりするなどの不都合を防止できる。したがって、本実施形態によれば、封止性の向上のために切断部32を肉厚に形成して開封性が損なわれなどの不都合を生じることなく、良好な開封性と十分な封止性との双方を提供できる。
【００３１】
さらに、第一実施形態では、肉厚部31とシール基部33とを略同一の厚さ寸法に形成している。
このことにより、シールバー60にて肉厚部31およびシール基部33を熱溶着する際、肉厚部31およびシール基部33にほぼ同時にシールバー60が当接し、肉厚部31の先端面311およびシール基部33のシール面331にそれぞれ設定された圧力が加わり、設定の熱溶着状態で接着できる。
すなわち、いずれか一方が肉厚となると、他方をシールするためにシールバー60をより強く押圧することとなり、切断部32が熱により損傷するおそれがある。また、肉厚部31が肉薄で適切に袋体10にシールされない場合には、袋体10に外部から圧力が加わった際に、切断部32が延びて封止性が損なわれるおそれがある。一方、肉厚部31が肉厚となるとシール強度が増大し、開封時に肉厚部31を袋体10から剥離させる際に大きな力が必要となり、開封感が損なわれるおそれがある。そして、この不都合を解決するためにシールバー60を異なる厚さに対応して形成したのでは、シールバー60の形状が複雑となり、装置コストが増大するとともに、シールの際の位置決めも煩雑となり、包装袋１の製造効率の向上が図れなくなるおそれがある。
このため、上述した本実施形態の構成により、シール基部33のシール強度よりも小さいシール強度で肉厚部31をシールできる構成が、略同一の厚さ寸法に形成する簡単な構成で得られる。
【００３２】
また、第一実施形態では、肉厚部31を袋体10の内面10Aに向けて次第に幅狭状となる断面台形状に形成している。
このことにより、シートシールする際、シールする深さの調整がしやすくなり、シール条件を広く設定できる。
例えば、肉厚部31が先端面311側に次第に幅広状となるように斜面313が逆に傾斜する断面逆台形状の場合、共押出成形法で安定した成形が困難で、製造性の向上が図れなくなる。特に、肉厚部31の端面312が、先端面311側に向けて次第にシール基部33側に近接する断面逆台形状では、シール時に流れ出た樹脂分が切断部32と接着したり、シール基部33と接着したりして、開封感が損なわれるおそれがある。
これらのことから、上述した本実施形態の構成によれば、良好な開封感が得られる構成が共押出成形法で容易に製造できる。
【００３３】
そして、切断部32を、肉厚部31の端面312に対して直交する方向（図３の上下方向）に延出する帯状に形成している。
このため、袋体10に外部から圧力が加わっても、切断部32の全面に略均等に圧力が加わる状態となり、局所的に圧力が強く掛かることによる伸び、さらにはピンホールの発生による水密性の低下などの不都合を防止できる。
【００３４】
さらに、肉厚部31およびシール基部33の袋体10の内面10Aにシールされる面は、略同一面上に位置するように形成されている。そして、肉厚部31よりシール基部33の方が強いシール強度に設計されている。
これを達成する手段として、袋体10の外面側から、くし型状のヒートシールバー60でシールする方法、肉厚部31の樹脂を袋体10のシーラント層111で用いる樹脂と非相溶性のものを用いる方法、および、肉厚部31で用いる樹脂の融点をシール基部33で用いる樹脂の融点より高く設定する方法などが挙げられる。これらの手段を用いることで、肉厚部31よりシール基部33の方が強いシール強度でシールする設計が確実に得られ、良好な開封性が得られるとともに十分な水密性が得られる構成が、容易に形成できる。
【００３５】
［第二実施形態］
次に、本発明の第二実施形態を、図面を参照して説明する。
図９は、本発明の第二実施形態に係る包装袋のジッパーテープのシール基部近傍を拡大して示す拡大斜視図である。なお、第二実施形態では、第一実施形態と同一あるいは類似する構成については、説明を省略または簡略化する。
【００３６】
第二実施形態の肉厚部41は、第一実施形態における肉厚部31を、断面略矩形状に形成したものである。この肉厚部41は、雄側帯状基部211が取り付けられる袋体10の内面10Aに対向する面に、先端部が内面10Aに接着される断面三角形状のリブ411を、切断部32の長手方向に沿って二条有している。リブ411は、所定の高さ寸法に形成することが好ましい。具体的には、高さ寸法が５μｍ未満ではリブの基端の端面もシールされてリブ411を設ける必要性がなくなり、３００μｍを超えると包装袋１にサイドシール基部12を形成しにくくなるためである。
そして、肉厚部41は、雌側帯状基部221に連続する底面から、リブ411の先端部までの厚さ寸法がシール基部33の厚さ寸法と略同一に形成されている。
また、第二実施形態では、シール基部33の袋体10への接着として、第一実施形態の接着部331Aにおける直線シール面331A1と端部シール面331A2とを分離した構成としている。
【００３７】
この第二実施形態によれば、袋体10と接着するリブ411を設けたため、袋体10とのシール面積の低減によりシール強度が低減し、開封時に大きな力が必要なく、良好な開封感を提供できる。特に、外部からの圧力に対する切断部32の損傷防止の向上のために、切断部32の長手方向に沿って肉厚部41を一連に接着させる場合でも、シール基部33のシール強度より小さいシール強度に接着させることが容易で、かつ良好な開封感を提供できる。
また、第二実施形態の直線シール面331A1と端部シール面331A2とを分離した接着方法でも、第一実施形態と同様に、開封時に切断部32に対して適切に応力集中して切断され、良好な開封感が得られる。
なお、この第二実施形態において、リブ411は、二条に限らず、一条あるいは複数条としてもよい。さらに、リブ411は、直線上に限らず、波形状あるいは破線状などとしてもよい。また、シール基部33の接着部331Aは、第一実施形態のくし状とするなど、いずれの接着方法でもよい。
【００３８】
［第三実施形態］
次に、本発明の第三実施形態を、図面を参照して説明する。
図１０は、本発明の第三実施形態に係る包装袋におけるジッパーテープの雄部材と雌部材が咬合した状態を示す断面図である。第三実施形態についても、上述した各実施形態と同一もしくは類似の構成については、説明を省略または簡略化する。
【００３９】
第三実施形態の切断部42は、第二実施形態における切断部32を、肉厚部41およびシール基部33の対向方向である袋体10の内面10Aと交差する平面に形成したものである。なお、外部から圧力が加わった際に、圧力集中を防止するために、鋭角となるシール基部33との連設部分を断面円弧状に湾曲する湾曲面421を設けることが好ましい。
この構成でも、第二実施形態と同様に、開封時の良好な開封感を提供できるとともに、外部からの圧力が加わっても切断部42が伸びるなどの損傷を生じることなく、良好な封止性が得られる。
なお、この第三実施形態において、切断部42の平面が傾斜する方向は、この構成に限らず反対となってもよい。また、切断部42が湾曲するなどしてもよい。
【００４０】
［第四実施形態］
次に、本発明の第四実施形態を、図面を参照して説明する。
図１１は、本発明の第四実施形態に係る包装袋におけるジッパーテープの雄部材と雌部材が咬合した状態を示す断面図である。第四実施形態についても、上述した各実施形態と同一もしくは類似の構成については、説明を省略または簡略化する。
【００４１】
この第四実施形態の切断部52は、第二実施形態における切断部42を、肉厚部41側になるに従って肉厚に形成したものである。
この構成によれば、切断部52が切断する位置は、最も肉薄となるシール基部33との連設部分となり、製品間での切断位置を一定にでき、開封感のばらつきが生じない。
【００４２】
［第五実施形態］
次に、本発明の第五実施形態を、図面を参照して説明する。
図１２は、本発明の第五実施形態に係る包装袋におけるジッパーテープの雄部材と雌部材が咬合した状態を示す断面図である。第五実施形態についても、上述した各実施形態と同一もしくは類似の構成については、説明を省略または簡略化する。
【００４３】
第５実施形態では、第一実施形態における雌部材22の雌側帯状基部221に、開口部14側の先端部に接着基部24を設けている。雌部材22の雌側帯状基部221は、この接着基部24を介して、その咬合部形成面221Bが、雄部材21側の袋体10の内面10Aに接着されている。また、接着基部24と雄部材21の雄側帯状基部211との間には、開封テープ40が取り付けられている。
そして、雌部材22の雌側帯状基部221は、咬合部形成面221Bと反対側の基部対向面221Aが、袋体10の内面10Aと所定の間隙を有しており、袋体10の内面10Aにシールされていない。
この構成では、基部対向面221Aは、袋体10の内面10Aと所定の間隔を有する。このため、収納空間15が広くなり、いわゆるデッドスペースを少なくすることができ、包装袋１は、より多く内容物を収納できる。また、包装袋１の内圧が切断部32により掛かりにくくなり、袋体10の落下衝撃など、外部からの応力が作用しても切断部32の伸びなどの損傷をより防止できる。
【００４４】
［変形例］
なお、本発明は、上述の実施形態に限定されるものではなく、本発明の目的を達成できる範囲での変更、改良などは、本発明に含まれるものである。
【００４５】
包装体1を挟んで互いに対向配置された一対のシールバー60にて肉厚部31,41およびシール基部33を熱溶着させたが、この限りではない。例えば、シールバーは包装体1の片側に一つだけ設けられても良く、また、包装体1の片側に複数設けられても良い。
【００４６】
肉厚部31，41およびシール基部33の接着方法としては、熱溶着に限らず、例えば接着剤などを用いる方法など、いずれの接着方法を利用できる。
【００４７】
その他、本発明の実施における具体的な構造および形状などは、本発明の目的を達成できる範囲で他の構造などとしてもよい。
【実施例】
【００４８】
以下、実施例および比較例を挙げて、本発明をより具体的に説明する。なお、本発明は実施例などの内容に何ら限定されるものではない。【００４９】
［実施例１］
ＭＦＲ７、融点１４０℃のランダムポリプロピレンを用い、以下の条件で図２の形状のジッパーテープを作製した。
（ジッパーテープの構成）
肉厚部の厚さ寸法：３００μｍ
切断部の厚さ寸法：５０μｍ
切断部の幅寸法：０．５ｍｍ
シール基部の厚さ寸法：４００μｍ
（袋体の構成）
袋体を構成する基材フィルムは、二軸延伸ポリエステルフィルム（厚さ寸法１２μｍ）、二軸延伸ナイロンフィルム（厚さ寸法１５μｍ）、キャストポリプロピレンフィルム（６０μｍ）をドライラミネートしたフィルムを用い、図１に示すような袋を作製した。
シール基部のシールは、図８に示すように、１ｍｍ幅で袋の幅方向（ジッパーテープの長手方向と直交する方向）にシールするとともに、ジッパーテープの長手方向に１ｍｍ幅、１０ｍｍ間隔のくし状のシールバーで、くしの先端部分が切断部32を超えて肉厚部31に掛かる長さでシールした。
シール基部のシールから収納空間側（底側）の袋内寸を幅１８０ｍｍ、深さ２００ｍｍとした。【００５０】
［実施例２］
実施例１におけるジッパーテープの各部位の寸法を以下の寸法とした以外は、実施例１と同様に包装袋を作製した。
肉厚部の厚さ寸法：５００μｍ
切断部の厚さ寸法：５０μｍ
切断部の幅寸法：０．５ｍｍ
シール基部の厚さ寸法：４００μｍ【００５１】
［実施例３］
実施例１におけるジッパーテープの各部位の寸法を以下の寸法とした以外は、実施例１と同様に包装袋を作製した。
肉厚部の厚さ寸法：４００μｍ
切断部の厚さ寸法：５０μｍ
切断部の幅寸法：０．５ｍｍ
シール基部の厚さ寸法：４００μｍ【００５２】
［比較例１］
ＭＦＲ７、融点１４０℃のランダムポリプロピレンで特開２００８‐２４３２４号公報（公報中図４）の形状のジッパーテープを作製した。
特開２００８−２４３２４号公報（公報中図４）の雄部材の雄側帯状基部（図４中符号321）および雌部材の雌側帯状基部（図４中符号331）の厚さ寸法：１５０μｍ
シール基部（公報中符号36）：１５０μｍ
切断部（公報中線状部（符号35））の厚さ寸法：４０μｍ
切断部の幅寸法：０．１ｍｍ
基材フィルムは二軸延伸ポリエステルフィルム（１２μｍ）、二軸延伸ナイロンフィルム（１５μｍ）、キャストポリプロピレンフィルム（６０μｍ）をドライラミネートしたフィルムで、実施例１と同様に図２に示すような袋を作製した。
シール基部のシールは、実施例１と同様に図８に示すように、１ｍｍ幅で袋の幅方向にシールするとともに、直交方向に１ｍｍ幅、１０ｍｍ間隔のくし状のシールバーで、くしの先端が切断部を超え、帯状基部に掛かる長さでシールした。
シール基部のシール端面から底側の袋内寸を幅１８０ｍｍ、深さ２００ｍｍとした。【００５３】
［評価］
実施例１〜３、比較例１で作製した包装袋を下記の方法で評価した。その結果を表１に示す。
（評価方法）
（１）切断部を手で開封した。
Ａ：容易に開封可能。
Ｂ：抵抗があるが、開封は可能。
Ｃ：開封困難。
（２）製袋品に水を４００ｍｌ封緘し、１．２ｍの高さからＮ１０で落下させ、切断部が切れるかを確認した。これを全部で５０袋について実施した。
Ａ：切れたものなし。
Ｂ：１、２袋が切れた。
Ｃ：３袋以上切れた。
（３）総合評価
Ａ：全ての評価でＡ。
Ｂ：Ｂ１つ。その他はＡ。
Ｃ：Ｃが１つ以上【００５４】
【表１】
0005639091.tif 000002
【産業上の利用可能性】
【００５５】
本発明は、食品、薬品、医療品、化粧品、雑貨などの各種物品を包装するための包装袋として利用できる。
【符号の説明】
【００５６】
１……ジッパーテープ付包装袋
１０……袋体
１０Ａ…内面
１４……開口部
１５……収納空間
２０……ジッパーテープ
２１……雄部材
２１１……雄側帯状基部
２２……雌部材
２２１……雌側帯状基部
２３……咬合部
３１，４１……肉厚部
３２，４２，５２……切断部
３３……シール基部
【図１】
0005639091.tif 000003
【図２】
0005639091.tif 000004
【図３】
0005639091.tif 000005
【図４】
0005639091.tif 000006
【図５】
0005639091.tif 000007
【図６】
0005639091.tif 000008
【図７】
0005639091.tif 000009
【図８】
0005639091.tif 000010
【図９】
0005639091.tif 000011
【図１０】
0005639091.tif 000012
【図１１】
0005639091.tif 000013
【図１２】
0005639091.tif 000014